(57)【特許請求の範囲】
【請求項１】
色合いの変化を規定する予め定められている基準に従って当該変化の過程にある色合いが割り当てられるとともに、前記基準が規定する色合いの変化の順に並べられ、照明装置の光源の色合いを設定する操作をそれぞれ受け付ける複数の調色操作手段と、
前記調色操作手段を識別する操作識別情報と前記照明装置の光源の色合いを識別する色合い識別情報とが互いに対応付けられて記録された色合い情報記憶手段と、
前記複数の調色操作手段のうちの前記操作を受け付けた調色操作手段に割り当てられた前記操作識別情報を、前記操作を受け付けた調色操作手段から受け取り、受け取った前記操作識別情報に対応付けられた前記色合い識別情報を前記色合い情報記憶手段から読み出す色合い情報読み出し手段と、
前記色合い情報読み出し手段が読み出した前記色合い識別情報を含む信号を生成し、生成した前記色合い識別情報を含む信号を前記照明装置に送信する制御を行う送信制御手段と、
前記複数の調色操作手段それぞれに対応する位置に設けられ、対応する前記調色操作手段が操作されることにより、前記光源の色合いが選択されたことを表す情報をそれぞれ出力する複数の出力手段と、
前記操作識別情報と前記出力手段を識別する出力識別情報とが互いに対応付けられて記録された出力情報記憶手段と、
前記色合い情報読み出し手段が受け取った前記操作識別情報に対応付けられた前記出力識別情報を前記出力情報記憶手段から読み出し、読み出した前記出力識別情報により識別される前記出力手段に前記光源の色合いが選択されたことを表す情報を出力させる制御を行う出力制御手段と、を備える、
ことを特徴とするリモコン装置。
【請求項２】
前記調色操作手段には、前記光源の色合いに対応するシーンを特定する情報が表示されている、
ことを特徴とする請求項１に記載のリモコン装置。
【請求項３】
前記送信制御手段は、前記生成した信号に含ませた前記色合い識別情報を記録する、
ことを特徴とする請求項１または２に記載のリモコン装置。
【請求項４】
前記照明装置の光源の明るさを設定する操作を受け付ける調光操作手段を備え、
前記送信制御手段は、前記調光操作手段が前記操作を受け付けたことに従って前記光源の明るさを識別する明るさ識別情報を含む信号を生成し、生成した前記明るさ識別情報を含む信号を前記照明装置に送信する制御を行う、
ことを特徴とする請求項１乃至３の何れか１項に記載のリモコン装置。
【請求項５】
前記送信制御手段は、前記生成した信号に含ませた前記明るさ識別情報を記録する、
ことを特徴とする請求項４に記載のリモコン装置。
【請求項６】
前記複数の調色操作手段は、暖色から寒色への変化の過程にある色合いが割り当てられるとともに、暖色から寒色への色合いの変化の順に並べられている、
ことを特徴とする請求項１乃至５の何れか１項に記載のリモコン装置。
【請求項７】
色合いの変化を規定する予め定められている基準に従って当該変化の過程にある色合いが割り当てられるとともに、前記基準が規定する色合いの変化の順に並べられ、照明装置の光源の色合いを設定する操作をそれぞれ受け付ける複数の調色操作部と、前記調色操作部を識別する操作識別情報と前記照明装置の光源の色合いを識別する色合い識別情報とが互いに対応付けられて記録された色合い情報記憶部と、前記複数の調色操作部それぞれに対応する位置に設けられ、対応する前記調色操作部が操作されることにより、前記光源の色合いが選択されたことを表す情報をそれぞれ出力する複数の出力部と、前記操作識別情報と前記出力部を識別する出力識別情報とが互いに対応付けられて記録された出力情報記憶部とを用いて、
前記複数の調色操作部のうちの前記操作を受け付けた調色操作部に割り当てられた前記操作識別情報を、前記操作を受け付けた調色操作部から受け取り、受け取った前記操作識別情報に対応付けられた前記色合い識別情報を前記色合い情報記憶部から読み出す色合い情報読み出しステップと、
前記色合い情報読み出しステップで読み出した前記色合い識別情報を含む信号を生成し、生成した前記色合い識別情報を含む信号を前記照明装置に送信する制御を行う送信制御ステップと、
前記色合い情報読み出しステップで受け取った前記操作識別情報に対応付けられた前記出力識別情報を前記出力情報記憶部から読み出し、読み出した前記出力識別情報により識別される前記出力部に前記光源の色合いが選択されたことを表す情報を出力させる制御を行う出力制御ステップと、を有する、
ことを特徴とする信号送信方法。
【請求項８】
コンピュータを、
色合いの変化を規定する予め定められている基準に従って当該変化の過程にある色合いが割り当てられるとともに、前記基準が規定する色合いの変化の順に並べられ、照明装置の光源の色合いを設定する操作をそれぞれ受け付ける複数の調色操作手段、
前記調色操作手段を識別する操作識別情報と前記照明装置の光源の色合いを識別する色合い識別情報とが互いに対応付けられて記録された色合い情報記憶手段、
前記複数の調色操作手段のうちの前記操作を受け付けた調色操作手段に割り当てられた前記操作識別情報を、前記操作を受け付けた調色操作手段から受け取り、受け取った前記操作識別情報に対応付けられた前記色合い識別情報を前記色合い情報記憶手段から読み出す色合い情報読み出し手段、
前記色合い情報読み出し手段が読み出した前記色合い識別情報を含む信号を生成し、生成した前記色合い識別情報を含む信号を前記照明装置に送信する制御を行う送信制御手段、
前記複数の調色操作手段それぞれに対応する位置に設けられ、対応する前記調色操作手段が操作されることにより、前記光源の色合いが選択されたことを表す情報をそれぞれ出力する複数の出力手段、
前記操作識別情報と前記出力手段を識別する出力識別情報とが互いに対応付けられて記録された出力情報記憶手段、
前記色合い情報読み出し手段が受け取った前記操作識別情報に対応付けられた前記出力識別情報を前記出力情報記憶手段から読み出し、読み出した前記出力識別情報により識別される前記出力手段に前記光源の色合いが選択されたことを表す情報を出力させる制御を行う出力制御手段、として機能させる、
ことを特徴とするプログラム。
【発明の詳細な説明】
【技術分野】
【０００１】
本発明は、リモコン装置、信号送信方法、及びプログラムに関する。
【背景技術】
【０００２】
操作ボタンを押下する単純な操作によって、照明装置の光源の点灯・消灯の切り替え、または、照明装置の光源の明るさを段階的に調節するリモコン装置が下記の特許文献１乃至４に開示されている。
【０００３】
また、近年、光源の色合い及び明るさを調節できる照明装置が開発されており、これに合わせて光源の色合い及び明るさを設定できるリモコン装置も開発されている。このリモコン装置を用いることにより、照明装置の光源の明るさと色合いとの組み合わせで決定される照明装置の照明条件をユーザの好みに設定でき、照明装置の照明による部屋の雰囲気を自由に変更できる。
【先行技術文献】
【特許文献】
【０００４】
【特許文献１】特開２００５−０９３２６４号公報
【特許文献２】特開２００５−２７７５２８号公報
【特許文献３】特開２０１０−１３０５３７号公報
【特許文献４】特開平１１−１３５２７１号公報
【発明の概要】
【発明が解決しようとする課題】
【０００５】
しかしながら、照明装置の照明条件をユーザの好みに合わせて設定するためには、ユーザは、照明装置の光源の色合いと明るさの両方をそれぞれ設定する煩雑な操作が必要であり、比較的に時間もかかるという問題があった。
【０００６】
本発明は、このような問題に鑑みてなされたものであり、ユーザにとって簡単な操作で、かつ、比較的に時間をかけずに照明装置の照明条件の設定を行うことができる、リモコン装置、信号送信方法、及びプログラムを提供することを目的とする。
【課題を解決するための手段】
【０００７】
本発明の第１の観点に係るリモコン装置は、
色合いの変化を規定する予め定められている基準に従って当該変化の過程にある色合いが割り当てられるとともに、前記基準が規定する色合いの変化の順に並べられ、照明装置の光源の色合いを設定する操作をそれぞれ受け付ける複数の調色操作手段と、
前記調色操作手段を識別する操作識別情報と前記照明装置の光源の色合いを識別する色合い識別情報とが互いに対応付けられて記録された色合い情報記憶手段と、
前記複数の調色操作手段のうちの前記操作を受け付けた調色操作手段に割り当てられた前記操作識別情報を、前記操作を受け付けた調色操作手段から受け取り、受け取った前記操作識別情報に対応付けられた前記色合い識別情報を前記色合い情報記憶手段から読み出す色合い情報読み出し手段と、
前記色合い情報読み出し手段が読み出した前記色合い識別情報を含む信号を生成し、生成した前記色合い識別情報を含む信号を前記照明装置に送信する制御を行う送信制御手段と、
前記複数の調色操作手段それぞれに対応する位置に設けられ、対応する前記調色操作手段が操作されることにより、前記光源の色合いが選択されたことを表す情報をそれぞれ出力する複数の出力手段と、
前記操作識別情報と前記出力手段を識別する出力識別情報とが互いに対応付けられて記録された出力情報記憶手段と、
前記色合い情報読み出し手段が受け取った前記操作識別情報に対応付けられた前記出力識別情報を前記出力情報記憶手段から読み出し、読み出した前記出力識別情報により識別される前記出力手段に前記光源の色合いが選択されたことを表す情報を出力させる制御を行う出力制御手段と、を備えることを特徴とする。
【０００８】
本発明の第２の観点に係る信号送信方法は、
色合いの変化を規定する予め定められている基準に従って当該変化の過程にある色合いが割り当てられるとともに、前記基準が規定する色合いの変化の順に並べられ、照明装置の光源の色合いを設定する操作をそれぞれ受け付ける複数の調色操作部と、前記調色操作部を識別する操作識別情報と前記照明装置の光源の色合いを識別する色合い識別情報とが互いに対応付けられて記録された色合い情報記憶部と、前記複数の調色操作部それぞれに対応する位置に設けられ、対応する前記調色操作部が操作されることにより、前記光源の色合いが選択されたことを表す情報をそれぞれ出力する複数の出力部と、前記操作識別情報と前記出力部を識別する出力識別情報とが互いに対応付けられて記録された出力情報記憶部とを用いて、
前記複数の調色操作部のうちの前記操作を受け付けた調色操作部に割り当てられた前記操作識別情報を、前記操作を受け付けた調色操作部から受け取り、受け取った前記操作識別情報に対応付けられた前記色合い識別情報を前記色合い情報記憶部から読み出す色合い情報読み出しステップと、
前記色合い情報読み出しステップで読み出した前記色合い識別情報を含む信号を生成し、生成した前記色合い識別情報を含む信号を前記照明装置に送信する制御を行う送信制御ステップと、
前記色合い情報読み出しステップで受け取った前記操作識別情報に対応付けられた前記出力識別情報を前記出力情報記憶部から読み出し、読み出した前記出力識別情報により識別される前記出力部に前記光源の色合いが選択されたことを表す情報を出力させる制御を行う出力制御ステップと、を有することを特徴とする。
【０００９】
本発明の第３の観点に係るプログラムは、
コンピュータを、
色合いの変化を規定する予め定められている基準に従って当該変化の過程にある色合いが割り当てられるとともに、前記基準が規定する色合いの変化の順に並べられ、照明装置の光源の色合いを設定する操作をそれぞれ受け付ける複数の調色操作手段、
前記調色操作手段を識別する操作識別情報と前記照明装置の光源の色合いを識別する色合い識別情報とが互いに対応付けられて記録された色合い情報記憶手段、
前記複数の調色操作手段のうちの前記操作を受け付けた調色操作手段に割り当てられた前記操作識別情報を、前記操作を受け付けた調色操作手段から受け取り、受け取った前記操作識別情報に対応付けられた前記色合い識別情報を前記色合い情報記憶手段から読み出す色合い情報読み出し手段、
前記色合い情報読み出し手段が読み出した前記色合い識別情報を含む信号を生成し、生成した前記色合い識別情報を含む信号を前記照明装置に送信する制御を行う送信制御手段、
前記複数の調色操作手段それぞれに対応する位置に設けられ、対応する前記調色操作手段が操作されることにより、前記光源の色合いが選択されたことを表す情報をそれぞれ出力する複数の出力手段、
前記操作識別情報と前記出力手段を識別する出力識別情報とが互いに対応付けられて記録された出力情報記憶手段、
前記色合い情報読み出し手段が受け取った前記操作識別情報に対応付けられた前記出力識別情報を前記出力情報記憶手段から読み出し、読み出した前記出力識別情報により識別される前記出力手段に前記光源の色合いが選択されたことを表す情報を出力させる制御を行う出力制御手段、として機能させることを特徴とする。
【発明の効果】
【００１０】
本発明によれば、照明装置の照明条件の設定を、ユーザにとって容易に行うことができ、また、比較的に時間をかけずに、照明装置の照明による部屋の雰囲気をユーザの好みに設定できる。
【図面の簡単な説明】
【００１１】
【図１】本発明の一実施形態に係るリモコン装置と照明装置とを示す図である。
【図２】図１に示したリモコン装置の構成を示すブロック図である。
【図３】本発明の一実施形態に係るリモコン装置に記録された色合い情報の構成を示す図である。
【図４】本発明の一実施形態に係るリモコン装置に記録された出力情報の構成を示す図である。
【図５】本発明の一実施形態に係るリモコン装置に記録された明るさ情報の構成を示す図である。
【図６】本発明の一実施形態に係るリモコン装置に記録された光源情報の構成を示す図である。
【図７】図１に示した照明装置の構成を示すブロック図である。
【図８】本発明の一実施形態に係る照明装置に記録された色合い情報の構成を示す図である。
【図９】本発明の一実施形態に係る照明装置に記録された明るさ情報の構成を示す図である。
【図１０】本発明の一実施形態に係るリモコン装置が実行する信号送信処理のフローチャートを示す図である。
【図１１】図１０の信号送信処理に含まれる調色処理のフローチャートを示す図である。
【図１２】図１０の信号送信処理に含まれる調光処理のフローチャートを示す図である。
【図１３】本発明の一実施形態に係る照明装置が行う光源制御処理のフローチャートを示す図である。
【発明を実施するための形態】
【００１２】
以下、本発明の実施形態について図面を参照して説明する。
【００１３】
はじめに、図１を参照して、本実施形態に係る照明システム１の構成を説明する。本システム１は、リモコン装置１０と、照明装置２０とを備える。リモコン装置１０は、照明用のリモコン装置である。一方、照明装置２０は、家屋等に設置される照明用機器である。
【００１４】
リモコン装置１０は、照明装置２０の光源の色合いまたは明るさを設定する操作がされたときに、照明装置２０の光源の色合いまたは明るさを制御する信号（赤外線信号）を生成し、生成した信号を照明装置２０に送信する。一方、照明装置２０は、リモコン装置１０から送信された信号を受信し、受信した信号を基に光源の色合い及び明るさを制御する。
【００１５】
図２を参照して、図１に示したリモコン装置１０の構成を説明する。リモコン装置１０は、制御部１１と、記憶部１２と、操作部１３と、表示部１４と、送信部１５とを備える。
【００１６】
制御部１１は、リモコン装置１０全体を制御する。制御部１１は、物理的には、例えば、ＣＰＵ(Central Processing Unit)、ＣＰＵのメインメモリとして機能するＲＡＭ（Random Access Memory）、タイマ等によって構成される。なお、制御部１１は、一部がＡＳＩＣ（Application Specific Integrated Circuit）等の専用回路によって構成されてもよい。
【００１７】
また、制御部１１は、機能的には、色合い情報読み出し部１１ａと、出力制御部１１ｂと、送信制御部１１ｃとを備える。色合い情報読み出し部１１ａと、出力制御部１１ｂと、送信制御部１１ｃとは、制御部１１の一部を構成するＣＰＵがプログラム記憶部１２ａに記録された「信号送信プログラム」を実行することにより機能し、後述の信号送信処理を行う。
【００１８】
記憶部１２は、制御部１１が各種処理を行うために使用する各種プログラム及びデータ、制御部１１が各種処理を行うことにより取得された各種データを記憶する。記憶部１２は、例えば、ＲＯＭ（Read Only Memory）やフラッシュメモリ等の不揮発性メモリによって構成される。
【００１９】
記憶部１２は、上記プログラム記憶部１２ａと、色合い情報記憶部１２ｂと、出力情報記憶部１２ｃと、明るさ情報記憶部１２ｄと、光源情報記憶部１２とを備える。
【００２０】
プログラム記憶部１２ａには、コンピュータの実行によって、色合い情報読み出し部１１ａ、出力制御部１１ｂ、送信制御部１１ｃを機能させる信号送信プログラムが記録されている。信号送信プログラムは、リモコン装置１０の電源がオンになったときにＣＰＵ（制御部１１の一部）によって記憶部１２から読み出され、電源がオンになった時点から電源がオフになるまで実行される。
【００２１】
色合い情報記憶部１２ｂには、色合い情報が記録されている。色合い情報は、図３に示すように、照明装置２０の光源の色合いを設定する操作を受け付ける調色操作部１３ａを識別する情報である調色操作ＩＤと、照明装置２０の光源の色合いを識別する情報である色合いＩＤとが互いに対応付けられた情報である。
【００２２】
出力情報記憶部１２ｃには、出力情報が記録されている。出力情報は、図４に示すように、調色操作部１３ａを識別する情報である調色操作ＩＤと、出力部１４ａを識別する情報である出力ＩＤとが互いに対応付けられた情報である。
【００２３】
明るさ情報記憶部１２ｄには、明るさ情報が記録されている。明るさ情報は、図５に示すように、照明装置２０の光源の明るさの度合いを数値で表した明るさレベルと、その明るさレベルを識別する情報である明るさＩＤとが互いに対応付けられた情報である。明るさレベルは、照明装置２０の光源の明るさの変更可能な範囲を一定の比率で分割したものをそれぞれ割り当てた数値である。例えば、光源の明るさが１０％以下〜１００％の範囲で変更可能な場合にその範囲を１０％毎に分割したとき、レベル１からレベル１０までの１０個の明るさレベル情報が得られる。この場合、明るさ情報記憶部１２ｄには、１０個の明るさレベル情報をそれぞれ識別する１０個の明るさＩＤと互いに対応付けられて記録される。
【００２４】
光源情報記憶部１２ｄには、光源情報が記録されている。光源情報は、図６に示すように、照明装置２０の光源の色合いを識別する色合いＩＤと光源の明るさを識別する明るさＩＤとを有する情報である。光源情報記憶部１２ｄは、現在設定されている照明装置２０の照明条件が記録されている。
【００２５】
操作部１３は、ユーザからの各種操作を受け付ける。操作部１３は、受け付けた各種操作にそれぞれ対応する操作信号を制御部１１（色合い情報読み出し部１１ａを含む）に供給する。操作部１３は、例えば、複数の操作ボタンを含むユーザインタフェース装置によって構成される。
【００２６】
また、操作部１３は、リモコン装置１０の正面部に、調色操作部１３ａと調光操作部１３ｂとを備える。調色操作部１３ａは、複数備えられており、それぞれ照明装置２０の光源の色合いを設定する操作を受け付ける。複数の調色操作部１３ａには、例えば、図１に示すように、リラックスキー、ナチュラルキー、アクティブキー、常夜灯キーがある。ユーザによって、これらのキーが押し下げられることによって、それぞれのキーに割り当てられた調色操作ＩＤが色合い情報読み出し部１１ａに供給される。また、これらのキーには、光源の色合いに対応するシーンを特定する情報が表示されている。例えば、リラックスキーは、光源の色合いを電球色（暖色）に設定する操作を受け付けるキーであり、このキーに表示されている「リラックス」というシーンを特定する情報（文字列）をもとに、ユーザは、就寝前のくつろぎ時等に、このキーを選択する。また、アクティブキーは、光源の色合いを昼光色（寒色）に設定する操作を受け付けるキーであり、このキーに表示されている「アクティブ」というシーンを特定する情報（文字列）をもとに、ユーザは、朝の目覚めの時等に、このキーを選択する。さらに、ナチュラルキーは、光源の色合いを中間色（寒色と暖色の中間の色）に設定する操作を受け付けるキーであり、このキーに表示されている「ナチュラル」というシーンを特定する情報（文字列）をもとに、ユーザは、家族団らんの時等に、このキーを選択する。リラックスキー、ナチュラルキー、アクティブキーは、暖色（視覚から暖かい印象を与える色）から寒色（視覚から寒い印象を与える色）にその色合いが変化していく順番に並べられて設けられている。これにより、色合いの選択を行う操作の操作性の向上を図っている。また、常夜灯キーは、光源の色合いを最寒色（青色）に設定する操作を受け付けるキーであり、このキーに表示されている「常夜灯」というシーンを特定する情報（文字列）をもとに、ユーザは、夜間、光源の色合いを最寒色（青色）にして点灯する時等に、このキーを選択する。
【００２７】
調光操作部１３ｂは、照明装置２０の光源の明るさを設定する操作を受け付ける。図１に示すように、調光操作部１３ｂは、光源の明るさを明るくする操作を受け付ける上方向キーと、光源の明るさを暗くする操作を受け付ける下方向キーとによって構成される。ユーザによって、これらのキーが押し下げられることによって、それぞれのキーに割り当てられた、明るさを一定の方向に段階的に変化させる情報が送信制御部１１ｃに供給される。例えば、上方向キーが押し下げされたときは、その押し下げに従って、光源の明るさのレベルを１段階上げる情報（１加算する）が送信制御部１１ｃに供給される。一方、下方向キーが押し下げされたときは、その押し下げに従って、光源の明るさのレベルを１段階下げる情報（１減算する）が送信制御部１１ｃに供給される。
【００２８】
その他、操作部１３は、図１に示すように、照明装置２０の光源の点灯・消灯を切り替える操作を受け付ける中央キーを備える。中央キーが押し下げられることによって、このキーに割り当てられた機能（点灯・消灯）を識別する情報が制御部１１に供給され、制御部１１の制御のもと、照明装置２０の光源の点灯・消灯を切り換える制御信号が送信される。また、操作部１３は、設定された時間に自動的に点灯・消灯を行う（留守機能を選択する）操作を受け付ける左方向キーと、設定された時間が経過した後に自動的に消灯を行う（おやすみ機能を選択する）操作を受け付ける右方向キーとを備える。これらのキーが押し下げられることによって、それぞれのキーに割り当てられた機能を識別する情報が制御部１１に供給され、制御部１１の制御のもと、これらの機能が利用可能となる。その他、例えば、リモコン装置１０の側面部には、時刻の設定を行う（時刻設定機能を選択する）操作を受け付けるキーや、チャンネル（ＣＨ）の設定を行う（ＣＨ設定機能を選択する）操作を受け付けるキーが備えられている。これらのキーが押し下げられることによって、それぞれのキーに割り当てられた機能を識別する情報が制御部１１に供給され、制御部１１の制御のもと、これらの機能が利用可能となる。
【００２９】
表示部１４は、制御部１１（出力制御部１１ｂを含む）の制御のもと、制御部１１から供給される各種画像データ等に基づいて各種画像を画面に表示する。表示部１４は、例えば、液晶表示装置、有機ＥＬ(Electro Luminescence)表示装置等によって構成される。
【００３０】
また、表示部１４は、複数の出力部１４ａを備える。複数の出力部１４ａは、複数の調色操作部１３ａ（リラックスキー、アクティブキー、ナチュラルキー、及び常夜灯キー）のそれぞれに対応する位置に設けられる。調色操作部１３ａが操作される（押し下げされる）ことにより、その調色操作部１３ａに対応する位置に設けられた出力部１４ａは、出力制御部１１ｂの制御のもと点灯等して、光源の色合いが選択されたことを表す情報を出力する。なお、出力部１４は、ＬＥＤ光源とＬＥＤ光源駆動回路等によって構成される。
【００３１】
なお、操作部１３（調色操作部１３ａ、調光操作部１３ｂを含む）と表示部１４（出力部１４ａを含む）とは、タッチパネルによって構成されても良い。タッチパネルは、所定の操作を受け付ける画面を表示すると共に、画面にユーザが接触した位置に対応する操作信号を制御部１１に供給する。
【００３２】
送信部１５は、制御部１１（送信制御部１１ｄを含む）の制御のもと、制御部１１から供給される色合いＩＤまたは明るさＩＤを含む制御信号（赤外線信号）を生成し、生成した制御信号を照明装置２０に送信する。送信部１５は、色合いＩＤまたは明るさＩＤを含むフレーム時間が１０８ｍｓの通信フレーム（ベースバンド信号）を生成するベースバンド処理部、ベースバンド処理部によって生成された通信フレームを用いて所定の変調方式に従って赤外線変調を行う変調処理部、変調処理部によって赤外線変調された送信用の赤外線信号（制御信号）を送信する赤外線送信部によって構成される。
【００３３】
次に、図７を参照して、図１に示した照明装置２０の構成を説明する。照明装置２０は、制御部２１と、記憶部２２と、光源駆動部２３と、光源２４と、受信部２５とを備える。
【００３４】
制御部２１は、照明装置２０全体を制御する。制御部２１は、物理的には、例えば、ＣＰＵ、ＲＡＭ、タイマ等によって構成される。なお、制御部２１は、一部がＡＳＩＣ等の専用回路によって構成されてもよい。
【００３５】
また、制御部２１は、機能的には、光源制御部２１ａを備える。光源制御部２１ａは、制御部２１の一部を構成するＣＰＵがプログラム記憶部２２ａに記録された「光源制御プログラム」を実行することにより機能し、後述の光源制御処理を行う。
【００３６】
記憶部２２は、制御部２１が各種処理を行うために使用する各種プログラム及びデータ、制御部２１が各種処理を行うことにより取得された各種データを記憶する。記憶部２２は、例えば、ＲＯＭやフラッシュメモリ等の不揮発性メモリによって構成される。
【００３７】
記憶部２２は、上記プログラム記憶部２２ａと、色合い制御情報記憶部２２ｂと、明るさ制御情報記憶部２２ｃとを備える。
【００３８】
プログラム記憶部２２ａには、コンピュータの実行によって、光源制御部２１ａを機能させる光源制御プログラムが記録されている。光源制御プログラムは、照明装置２０の電源がオンになったときにＣＰＵ（制御部２１の一部）によって記憶部２２から読み出され、電源がオンになった時点から電源がオフになるまで実行される。
【００３９】
色合い制御情報記憶部２２ｂには、色合い制御情報が記録されている。色合い制御情報は、図８に示すように、照明装置２０の光源の色合いを識別する情報である色合いＩＤと光源の色合いを制御する値である色合い制御値とが互いに対応付けられた情報である。光源制御部２１ａは、リモコン装置１０から送信された制御信号（赤外線信号）に色合いＩＤが含まれていた場合に、その色合いＩＤに対応付けられた色合い制御値を色合い制御情報記憶部２２ｂから読み出す。光源制御部２１ａは、読み出した色合い制御値に基づいて、光源駆動部２３を駆動させる制御信号を生成し、生成した制御信号を光源駆動部２３に供給する。
【００４０】
明るさ制御情報記憶部２２ｃには、明るさ制御情報が記録されている。明るさ制御情報は、図９に示すように、照明装置２０の光源の明るさを識別する情報である明るさＩＤと光源の明るさを制御する値である明るさ制御値とが互いに対応付けられた情報である。光源制御部２１ａは、リモコン装置１０から送信された制御信号（赤外線信号）に明るさＩＤが含まれていた場合に、その明るさＩＤに対応付けられた明るさ制御値を明るさ制御情報記憶部２２ｂから読み出す。光源制御部２１ａは、読み出した明るさ制御値に基づいて、光源駆動部２３を駆動させる制御信号を生成し、生成した制御信号を光源駆動部２３に供給する。
【００４１】
光源駆動部２３は、光源制御部２１ａの制御のもと、光源制御部２１ａから供給される制御信号に基づいて光源２４を駆動させる。光源駆動部２３は、調光・調色の方式がPWM方式の場合、インバータ回路によって構成され、調光・調色の方式が位相制御方式の場合、スイッチ回路によって構成される。
【００４２】
光源２４は、光源駆動部２３によって駆動される。光源２４はＬＥＤ（Light Emitting Diode）電球等によって構成される。なお、光源２４の色合いは、電球内に搭載された２色（電球色相当／昼白色相当）のＬＥＤチップを用いて、お互いの発光バランスを制御することにより光源の色合いを所定の色合いに調節する。
【００４３】
受信部２５は、制御部２１（光源制御部２１ａを含む）の制御のもと、リモコン装置１０から送信された制御信号（赤外線信号）を受信する。受信部２５は、受信した制御信号に含まれる情報（色合いＩＤ，明るさＩＤ等）を抽出し、抽出した情報を光源制御部２１ａに供給する。受信部２５は、例えば、赤外線信号を受信して増幅する赤外線受信部、赤外線受信部によって増幅された信号をリモコン装置１０で用いられた変調方式に従って復調を行う復調処理部、復調処理部によって復調された信号から通信フレームを抽出し、抽出した通信フレームのデータ部に含まれている情報（色合いＩＤ，明るさＩＤ等）を光源制御部２１ａに供給するベースバンド処理部によって構成される。
【００４４】
次に、図２に示したリモコン装置１０が実行する信号送信処理を、図１０を参照して説明する。
【００４５】
リモコン装置１０の制御部１１（ＣＰＵ）は、リモコン装置１０の電源がオンになったときに、プログラム記憶部１２ａに記録された「信号送信プログラム」を読み出して実行する。これにより、色合い情報読み出し部１１ａ、出力制御部１１ｂ、及び送信制御部１１ｃは、それぞれ以下の処理を行う。
【００４６】
最初に、出力制御部１１ｂは、光源情報記憶部１２ｅに記録された光源情報（明るさレベル情報）を光源情報記憶部１２ｅから読み出す（ステップＳ１１）。このときに読み出される光源情報は、リモコン装置１０の電源がオフになる前に光源情報記憶部１２ｅに記録された光源情報である。
【００４７】
出力制御部１１ｂは、読み出した光源情報を基に、電源がオフになる前に操作された出力部１４ａに照明装置２０の光源の色合いを表す情報を出力し、表示部１４に照明装置２０の光源の明るさを表す情報を出力する（ステップＳ１２）。
【００４８】
具体的には、出力制御部１１ｂは、光源情報が有する色合いＩＤを抽出し、抽出した色合いＩＤに対応付けられた調色操作ＩＤを色合い情報記憶部１２ｂから読み出す。出力制御部１１ｂは、読み出した調色操作ＩＤに対応付けられた出力ＩＤを出力情報記憶部１２ｃから読み出す。出力制御部１１ｂは、複数の出力部１４ａのうち、読み出した出力ＩＤにより識別される出力部１４ａを点灯させる。例えば、リモコン装置１０の電源がオフになる前に、図１に示すナチュラルキー（調色操作ＩＤ（調色操作２））が選択されていた場合、光源情報記憶部１２ｅから抽出される色合いＩＤ（色合い２）を基に、出力ＩＤ（出力２）を出力情報記憶部１２ｂから読み出し、読み出した出力ＩＤ（出力２）により識別される、ナチュラルキーに対応する位置に設けられた出力部１４ａが点灯する。これにより、ユーザは、照明装置２０の現在（オフになる前）の光源の色合いが中間色（寒色と暖色の中間の色）に設定されていることを確認できる。
【００４９】
また、出力制御部１１ｂは、読み出した光源情報が有する明るさＩＤを抽出し、抽出した明るさＩＤに対応付けられた明るさレベルを明るさ情報記憶部１２ｄから読み出す。出力制御部１１ｂは、読み出した明るさレベルを基に照明装置２０の現在（オフになる前）の光源の明るさを表す情報を表示部１４の画面に表示する。例えば、リモコン装置１０の電源がオフになる前に、調光操作部１３ｂの上方向キーの操作によって明るさレベルが「レベル３（３１−４０％）」に設定されていた場合、光源情報記憶部１２ｅから抽出される明るさＩＤ（明るさ３）を基に、図１に示すように、「明るさレベル３」を表す情報を画面に表示する。これにより、ユーザは、照明装置２０の現在（オフになる前）の光源の明るさがレベル３に設定されていることを確認できる。
【００５０】
その後、色合い情報読み出し部１１ａは、複数の調色操作部１３ａ（リラックスキー、アクティブキー、ナチュラルキー、常夜灯キー）の何れかが操作を受け付けたか（押し下げられたか）否かを判別する（ステップＳ１３）。複数の調色操作部１３ａ（リラックスキー、アクティブキー、ナチュラルキー、常夜灯キー）の何れかが操作を受け付けたと判別した場合は（ステップＳ１３；ＹＥＳ）、色合い情報読み出し部１１ａはステップＳ１５に進んで後述の調色処理を行う。一方、複数の調色操作部１３ａの何れも操作を受け付けていないと判別した場合は（ステップＳ１３；ＮＯ）、色合い情報読み出し部１１ａはステップＳ１４に進む。
【００５１】
ステップＳ１４では、送信制御部１１ｃは、調光操作部１３ｂ（上方向キー、下方向キーの何れか）が操作を受け付けたか（押し下げられたか）否かを判別する。調光操作部１３ｂが操作を受け付けたと判別した場合は（ステップＳ１４；ＹＥＳ）、送信制御部１１ｃはステップＳ１６に進んで後述の調光処理を行う。一方、調光操作部１３ｂが操作を受け付けていないと判別した場合は（ステップＳ１３；ＮＯ）、送信制御部１１ｃは、ステップＳ１３に戻る。つまり、リモコン装置１０の電源をオンにして、電源オフ前の照明装置２０の光源の色合い及び明るさを表す情報（現在設定されている照明条件）を出力した後は、調色操作部１３ａ、調光操作部１３ｂの何れかの操作が行われるまで（ステップＳ１３；ＹＥＳ／ステップＳ１４；ＹＥＳ）、リモコン装置１０は待機状態となる。
【００５２】
次に、図１０のステップＳ１５において、複数の調色操作部１３ａ（リラックスキー、アクティブキー、ナチュラルキー、常夜灯キー）の何れかが操作を受け付けたと判別した場合に行われる調色処理を、図１１を参照して説明する。
【００５３】
色合い情報読み出し部１１ａは、操作を受け付けた調色操作部１３ａ（例えば、リラックスキー）に割り当てられた調色操作ＩＤ（例えば調色操作１）を、操作を受け付けた調色操作部１３ａから受け取る（ステップＳ１５１）。色合い情報読み出し部１１ａは、受け取った調色操作ＩＤ（調色操作１）に対応付けられた色合いＩＤ（色合い１）を色合い情報記憶部１２ｂから読み出す（ステップＳ１５２）。
【００５４】
また、出力制御部１１ｂは、色合い情報読み出し部１１ａが受け取った調色操作ＩＤ（調色操作１）に対応付けられた出力ＩＤ（出力１）を出力情報記憶部１２ｃから読み出す。出力制御部１１ｂは、複数の出力部１４ａのうち、読み出した出力ＩＤにより識別される出力部１４ａを点灯させる。図１に示すリラックスキー（調色操作ＩＤ（調色操作１））が操作を受け付けた場合、出力制御部１１ｂは、色合い情報読み出し部１１ａがリラックスキーから受け取った調色操作ＩＤ（調色操作１）に対応付けられた出力ＩＤ（出力１）を出力情報記憶部１２ｂから読み出し、読み出した出力ＩＤ（出力１）により識別される、リラックスキーに対応する位置に設けられた出力部１４ａを点灯する。これにより、ユーザは、照明装置２０の現在（オフになる前）の光源の色合いが昼光色（寒色）に設定されたことを確認できる。
【００５５】
送信制御部１１ｃは、色合い情報読み出し部１１ａが読み出した色合いＩＤ（色合い１）を含む制御信号を生成する（ステップ１５３）。送信制御部１１ｃは、生成した制御信号を、送信部１５を用いて照明装置２０に送信する制御を行う（ステップＳ１５４）。このように、ユーザは、複数の調色操作部１３の中から設定したい光源の色合いに対応する調色操作部１３を選択する操作を行うことにより、光源の色合いの設定を容易に行うことができる。
【００５６】
また、送信制御部１１ｃは、制御信号に含ませた色合いＩＤ（色合い１）を新たな色合いＩＤとして光源情報記憶部１２ｅに記録された色合いＩＤを更新記録する（ステップＳ１５５）。
【００５７】
その後、送信制御部１１ｃは、ステップＳ１３に戻り、調色操作部１３ａ、調光操作部１３ｂの何れかが操作されるまで（ステップＳ１３；ＹＥＳ／ステップＳ１４；ＹＥＳ）、リモコン装置１０は待機状態となる。
【００５８】
次に、図１０のステップＳ１６において、調光操作部１３ｂ（上方向キー、下方向キーの何れか）が操作を受け付けたと判別した場合に行われる調光処理を、図１２を参照して説明する。
【００５９】
送信制御部１１ｃは、操作を受け付けた調光操作部１３ｂ（例えば、上方向キー）に割り当てられた、光源の明るさを一定の方向に段階的に変化させる情報（１加算する情報）を、選択された調色操作部１３ａから受け取る（ステップＳ１６１）。送信制御部１１ｃは、受け取った情報に従って、現在の明るさ（レベル３）を変化させ（レベル４にする）、変化させた明るさに対応付けられた明るさＩＤ（明るさ４）を、明るさ情報記憶部１２ｄから読み出す（ステップＳ１６２）。
【００６０】
送信制御部１１ｃは、読み出した明るさＩＤ（明るさ４）を含む制御信号を生成する（ステップ１６４）。送信制御部１１ｃは、生成した制御信号を、送信部１５を用いて照明装置２０に送信する制御を行う（ステップＳ１６４）。このように、ユーザは、照明装置２０の光源の明るさを一定の方向に変化させる操作を受け付ける操作部１３ｂを用いて、照明装置２０の光源の明るさを変更させることにより、光源の明るさの設定を容易に行うことができる。
【００６１】
また、送信制御部１１ｃは、制御信号に含ませた明るさＩＤ（明るさ４）を新たな明るさＩＤとして光源情報記憶部１２ｅに記録された明るさＩＤを更新記録する（ステップＳ１６５）。
【００６２】
その後、送信制御部１１ｃは、ステップＳ１３に戻り、調色操作部１３ａ、調光操作部１３ｂの何れかが操作されるまで（ステップＳ１３；ＹＥＳ／ステップＳ１４；ＹＥＳ）、リモコン装置１０は待機状態となる。
【００６３】
次に、図７に示した照明装置２０が実行する光源制御処理を、図１３を参照して説明する。
【００６４】
照明装置２０の制御部２１（ＣＰＵ）は、照明装置２０の電源がオンになったときに、その電源がオフになる前の点灯状態で光源２４を点灯させる。また。このとき、制御部２１は、プログラム記憶部２２ａに記録された「光源制御プログラム」を読み出して実行する。
【００６５】
光源制御部２１ａは、リモコン装置１０から制御信号を受信するまで待機状態を維持し（ステップＳ２１；ＮＯ）、リモコン装置１０から制御信号を受信したと判別した場合は（ステップＳ２１；ＹＥＳ）、ステップＳ２２に進む。
【００６６】
ステップＳ２２では、光源制御部２１ａは、受信した制御信号に色合いＩＤが含まれているか否かを判別し、含まれていると判別した場合は（ステップＳ２２；ＹＥＳ）、その色合いＩＤに対応付けられた色合い制御値を色合い制御情報記憶部２２ｂから読み出す（ステップＳ２３）。光源制御部２１ａは、読み出した色合い制御値を用いて制御信号を生成し、これを用いて光源駆動部２３を駆動させることにより、光源２４の色合いを調節する制御を行う。
【００６７】
例えば、図１に示すリモコン装置１０において、リラックスキー（複数の調色操作部１３ａのうちの１つ）が操作されたとき、そのリラックスキーを識別する調色操作ＩＤ（調色操作１）に対応する色合いＩＤ（色合い１）を含む制御信号が生成され、照明装置２０に送信される。光源制御部２１ａは、受信した制御信号に含まれる色合いＩＤ（色合い１）に対応付けられた色合い制御値（色合い制御値１）を基に制御信号を生成し、これを用いて、光源駆動部２３を介して光源２４を制御することにより、光源２４の色合いを、電球色（リラックスキーに対応する光源の色合い）に調節する。
【００６８】
その後、光源制御部２１ａは、ステップＳ２１に戻り、次の制御信号をリモコン装置１０から受信するまで待機状態を維持する。
【００６９】
一方、ステップＳ２２において、光源制御部２１ａは、受信した制御信号に色合いＩＤが含まれていないと判別した場合は（ステップＳ２２；ＮＯ）、その明るさＩＤを含んでいるか否かを判別する（ステップＳ２５）。光源制御部２１ａは、受信した制御信号に明るさＩＤが含まれていると判別した場合は（ステップＳ２５；ＹＥＳ）、その明るさＩＤに対応付けられた明るさ制御値を明るさ制御情報記憶部２２ｃから読み出す（ステップＳ２６）。光源制御部２１ａは、読み出した明るさ制御値を用いて制御信号を生成し、これを用いて光源駆動部２３を駆動させることにより、光源２４の明るさを調節する制御を行う。
【００７０】
例えば、照明装置２０の光源の明るさが明るさレベル（レベル３）に設定されている場合において、図１に示すリモコン装置１０において、上方向キー（調光操作部１３ｂに含まれるキー）が操作されたとき、その上方向キーに対応する現在の明るさのレベルの値を１加算させる情報を基に変化させた、明るさレベル（レベル４）に対応する明るさＩＤ（明るさ４）を含む制御信号が生成され、生成された制御信号が照明装置２０に送信される。光源制御部２１ａは、リモコン装置１０から送信された制御信号を受信し、受信した制御信号に含まれる明るさＩＤ（明るさ４）に対応付けられた色合い制御値（色合い制御値４）を基に制御信号を生成し、これを用いて、光源駆動部２３を介して光源２４を制御することにより、光源２４の明るさを明るさレベル４に対応する明るさ（４１−５０％）に調節する。
【００７１】
その後、光源制御部２１ａは、ステップＳ２１に戻り、次の制御信号をリモコン装置１０から受信するまで待機状態を維持する。
【００７２】
なお、ステップＳ２５において、光源制御部２１ａは、受信した制御信号に明るさＩＤが含まれていないと判別した場合は（ステップＳ２５；ＮＯ）、その制御信号に含まれた情報は、光源制御処理に用いられる情報ではないと判別し、上記と同様、ステップＳ２１に戻り、次の赤外線信号をリモコン装置１０から受信するまで待機状態を維持する。
【００７３】
以上説明したように、本実施形態に係るリモコン装置１０によれば、複数の調色操作部１３の中から設定したい光源の色合いに対応する調色操作部１３を選択することによって、照明装置２０の光源の色合いの設定を容易に行うことができる。また、照明装置２０の光源の明るさを一定の方向に変化させる操作を受け付ける調光操作部１３ｂを用いて、照明装置２０の光源の明るさを一定の方向に変化させることによって、光源の明るさの設定を容易に行うことができる。これにより、照明装置の照明条件の設定を、ユーザにとって簡単な操作で、かつ、比較的に時間をかけずに行うことができる。
【００７４】
なお、リモコン装置１０の調光操作部１３について、上記実施形態においては、光源の明るさを段階的に変化させる段階調光操作を受け付けるものとして説明したが、一定時間連続的に押し下げを行うことにより、光源の明るさを連続的に変化させる連続調光操作受け付けることもできる。つまり、調光操作部１３を操作する時間に従って（連続的または単発的な押し下げに従って）、光源の明るさを変化させる信号の生成及び送信の形態や、表示部１４の画面に表示される、照明装置２０の光源の明るさを表す情報の表示形態等は、適宜に変更できる。
【００７５】
なお、上記実施形態では、リモコン装置１０を照明用のリモコン装置、照明装置２０を家屋等に設置される照明用機器として説明したが、本発明はこれに限定されるものではない。本発明に係るリモコン装置は、光源の色合い及び明るさを設定できる機能を備えた装置であれば適宜にその装置と組み合わせて使用できる。例えば、他の照明装置には、デジタルテレビ受像機や携帯機器（携帯電話、PDA、ポータブルナビ、携帯ゲーム機等）のバックライトの明るさ及び色合いを調節するバックライト照明装置がある。この場合、本発明に係るリモコン装置は、バックライト照明用のリモコン装置としても利用できる。
【００７６】
なお、本発明に係るリモコン装置は、それぞれ、通常のコンピュータにより実現できる。この場合、上記の実施形態で説明した、信号送信プログラムは、コンピュータにより実行される。また、コンピュータは、信号送信プログラムに従って、それぞれ、上記の実施形態で説明した動作を行う。また、信号送信プログラムは、持ち運び可能な記録媒体等に記録されたものでもよい。持ち運び可能な記録媒体には、例えば、ＣＤ−ＲＯＭ（Compact Disk Read Only Memory）等がある。また、信号送信プログラムは、持ち運び可能な記録媒体から各種読取装置を介して、対応するリモコン装置にインストールされたものでも良い。さらに、信号送信プログラムは、インターネット等を介して、対応するリモコン装置にダウンロード及びインストールされたものでもよい。また、信号送信プログラムは、リモコン装置と通信可能なサーバ等の記憶装置に格納されたものでも良い。
【００７７】
その他、本発明は、上記実施形態の説明及び図面によって限定されるものではなく、上記実施形態及び図面に適宜変更等を加えることは可能である。
【００７８】
また、上記の実施形態の一部又は全部は、以下の付記のようにも記載されうるが、以下には限られない。
【００７９】
（付記１）
照明装置の光源の色合いを設定する操作をそれぞれ受け付ける複数の調色操作手段と、
前記調色操作手段を識別する操作識別情報と前記照明装置の光源の色合いを識別する色合い識別情報とが互いに対応付けられて記録された色合い情報記憶手段と、
前記複数の調色操作手段のうちの前記操作を受け付けた調色操作手段に割り当てられた前記操作識別情報を、前記操作を受け付けた調色操作手段から受け取り、受け取った前記操作識別情報に対応付けられた前記色合い識別情報を前記色合い情報記憶手段から読み出す色合い情報読み出し手段と、
前記色合い情報読み出し手段が読み出した前記色合い識別情報を含む信号を生成し、生成した前記色合い識別情報を含む信号を前記照明装置に送信する制御を行う送信制御手段と、を備える、
ことを特徴とするリモコン装置。
【００８０】
（付記２）
前記調色操作手段には、前記光源の色合いに対応するシーンを特定する情報が表示されている、
ことを特徴とする付記１に記載のリモコン装置。
【００８１】
（付記３）
前記送信制御手段は、前記生成した信号に含ませた前記色合い識別情報を記録する、
ことを特徴とする付記１または２に記載のリモコン装置。
【００８２】
（付記４）
前記複数の調色操作手段それぞれに対応する位置に設けられ、前記操作により前記光源の色合いが選択されたことを表す情報をそれぞれ出力する複数の出力手段と、
前記操作識別情報と前記出力手段を識別する出力識別情報とが互いに対応付けられて記録された出力情報記憶手段と、
前記色合い情報読み出し手段が受け取った前記操作識別情報に対応付けられた前記出力識別情報を前記出力情報記憶手段から読み出し、読み出した前記出力識別情報により識別される前記出力手段に前記光源の色合いを特定する情報を出力させる制御を行う出力制御手段と、を備える、
ことを特徴とする付記１乃至３の何れかに記載のリモコン装置。
【００８３】
（付記５）
前記照明装置の光源の明るさを設定する操作を受け付ける調光操作手段を備え、
前記送信制御手段は、前記調光操作手段が前記操作を受け付けたことに従って前記光源の明るさを識別する明るさ識別情報を含む信号を生成し、生成した前記明るさ識別情報を含む信号を前記照明装置に送信する制御を行う、
ことを特徴とする付記１乃至４の何れかに記載のリモコン装置。
【００８４】
（付記６）
前記送信制御手段は、前記生成した信号に含ませた前記明るさ識別情報を記録する、
ことを特徴とする付記５に記載のリモコン装置。
【００８５】
（付記７）
照明装置の光源の色合いを設定する操作をそれぞれ受け付ける複数の調色操作部と、前記調色操作部を識別する操作識別情報と前記照明装置の光源の色合いを識別する色合い識別情報とが互いに対応付けられて記録された色合い情報記憶部とを用いて、
前記複数の調色操作部のうちの前記操作を受け付けた調色操作部に割り当てられた前記操作識別情報を、前記操作を受け付けた調色操作部から受け取り、受け取った前記操作識別情報に対応付けられた前記色合い識別情報を前記色合い情報記憶部から読み出す色合い情報読み出しステップと、
前記色合い情報読み出しステップで読み出した前記色合い識別情報を含む信号を生成し、生成した前記色合い識別情報を含む信号を前記照明装置に送信する制御を行う送信制御ステップと、を有する、
ことを特徴とする信号送信方法。
【００８６】
（付記８）
コンピュータを、
照明装置の光源の色合いを設定する操作をそれぞれ受け付ける複数の調色操作手段、
前記調色操作手段を識別する操作識別情報と前記照明装置の光源の色合いを識別する色合い識別情報とが互いに対応付けられて記録された色合い情報記憶手段、
前記複数の調色操作手段のうちの前記操作を受け付けた調色操作手段に割り当てられた前記操作識別情報を、前記操作を受け付けた調色操作手段から受け取り、受け取った前記操作識別情報に対応付けられた前記色合い識別情報を前記色合い情報記憶手段から読み出す色合い情報読み出し手段、
前記色合い情報読み出し手段が読み出した前記色合い識別情報を含む信号を生成し、生成した前記色合い識別情報を含む信号を前記照明装置に送信する制御を行う送信制御手段、として機能させる、
ことを特徴とするプログラム。
【符号の説明】
【００８７】
１  照明システム
１０  リモコン装置
１１  制御部
１１ａ  色合い情報読み出し部
１１ｂ  出力制御部
１１ｃ  送信制御部
１２  記憶部
１２ａ  プログラム記憶部
１２ｂ  色合い情報記憶部
１２ｃ  出力情報記憶部
１２ｄ  明るさ情報記憶部
１２ｅ  光源情報記憶部
１３  操作部
１３ａ  調色操作部
１３ｂ  調光操作部
１４  表示部
１４ａ  出力部
１５  送信部
２０  照明装置
２１  制御部
２１ａ  光源制御部
２２  記憶部
２２ａ  プログラム記憶部
２２ｂ  色合い制御情報記憶部
２２ｃ  明るさ制御情報記憶部
２３  光源駆動部
２４  光源
２５  受信部
【図１】
0005936102.tif 000002
【図２】
0005936102.tif 000003
【図３】
0005936102.tif 000004
【図４】
0005936102.tif 000005
【図５】
0005936102.tif 000006
【図６】
0005936102.tif 000007
【図７】
0005936102.tif 000008
【図８】
0005936102.tif 000009
【図９】
0005936102.tif 000010
【図１０】
0005936102.tif 000011
【図１１】
0005936102.tif 000012
【図１２】
0005936102.tif 000013
【図１３】
0005936102.tif 000014